(57)【特許請求の範囲】
【請求項１】
型抜きされたシート状物を偏平袋状に製袋したＣＤホルダーであって、一辺がＣＤの直径と同じ四角形状で且つその上辺が開口したＣＤ収納用の袋本体部と、該袋本体部の上辺の相対する端縁からそれぞれ延設された一対の留め片とからなり、これら留め片は、内側の側端が袋本体部の上辺では互いに一致し、それより上側で互いに交差するように形成されており、前記袋本体部の左右辺には上辺から中程より先まで至るスリットが設けられ、前記袋本体部の表面と裏面には前記左右辺のスリットを結ぶ横方向の折線が設けられ、前記袋本体部の下辺の中央にスリットが設けられてなることを特徴とするＣＤホルダー。
【発明の詳細な説明】
【０００１】
【発明の属する技術分野】
本発明は、コンパクトディスク（ＣＤ）を郵送する場合に使用されるＣＤホルダーに関するものである。
【０００２】
【従来の技術】
従来、ＣＤを郵送する場合、割れたり記録面が傷付かないようにするため、硬質のプラスチックケースにＣＤを入れ、さらにこれを封筒に入れて送るのが一般的であった。また、場合によっては専用の段ボールケースを使用して送ることも行われていた。
【０００３】
【発明が解決しようとする課題】
上記したような郵送の仕方では、ＣＤを安全な状態で送ることができはするものの、ＣＤの包装そのものに費用が掛かる上、定形外郵便物になったり小包扱いになるため郵便料金が高くなるという問題点がある。したがって、ＣＤを多数の人に郵送する場合にあっては、郵送費用がバカにならないため、経費節減の観点から安価な郵送手段が求められている。
【０００４】
本発明は、上記のような事情に鑑みてなされたものであり、その目的とするところは、郵送費用を安く、しかも安全に送ることのできるＣＤホルダーを提供することにある。
【０００５】
【課題を解決するための手段】
上記目的を達成するために、本発明のＣＤホルダーは、型抜きされたシート状物を偏平袋状に製袋したＣＤホルダーであって、一辺がＣＤの直径と同じ四角形状で且つその上辺が開口したＣＤ収納用の袋本体部と、該袋本体部の上辺の相対する端縁からそれぞれ延設された一対の留め片とからなり、これら留め片は、内側の側端が袋本体部の上辺では互いに一致し、それより上側で互いに交差するように形成されており、前記袋本体部の左右辺には上辺から中程より先まで至るスリットが設けられ、前記袋本体部の表面と裏面には前記左右辺のスリットを結ぶ横方向の折線が設けられ、前記袋本体部の下辺の中央にスリットが設けられてなることを特徴とする。
【０００６】
上記の構成からなる本発明のＣＤホルダーは、袋本体部の上辺を開いてＣＤを挿入し、次に袋本体部の上辺に設けた留め片を互いに交差する方向に曲げて端部を交差させ重なり合わせる。この場合、袋本体部の左右辺には上辺から中程より先まで至るスリットを設けるとともに、袋本体部の表面と裏面には横方向の折線を設けてあるので、袋本体部の上辺が大きく開閉でき、ＣＤの出し入れが簡単に行える。また、収納したＣＤはその左右端が袋本体部の左右辺に設けたスリットに嵌まるので確りと保持される。さらに、袋本体部の下辺の中央にスリットを設けると、そこにもＣＤが嵌まるようになる。そして、このようにＣＤを収納したＣＤホルダーを、宛名を印字したフィルム袋に入れて郵送できる形態にする。
【０００７】
ところで、定形郵便物は、第一種（封書）郵便物のうち、サイズの面からすると、長さが１４〜２３．５ｃｍ、幅が９〜１２ｃｍ、厚さが１ｃｍまでのもので、且つ重さが５０ｇまでのものである。一方、ＣＤはその直径が丁度１２ｃｍである。したがって、一辺の長さをＣＤの直径と同じにした袋本体部とその上辺から延設した留め片とからなる本発明のＣＤホルダーは、留め片の長さを２ｃｍより少し長めに設定することで定形郵便物のサイズに収めることができる。そして、このＣＤホルダーにＣＤを収納し、さらにフィルム袋に入れても全体の重さは５０ｇもないので、定形郵便物として取り扱われることになる。
【０００８】
【発明の実施の形態】
以下、図面を参照して本発明の実施形態について説明する。
【０００９】
図１は本発明に係るＣＤホルダーの一例を示したもので、このＣＤホルダー１は、一辺がＣＤの直径と同じ四角形で且つその上辺が開口したＣＤ収納用の袋本体部２を有しており、その袋本体部２の上辺の相対する端縁２ａには中心部より片側にそれぞれ留め片３が延設されている。これら留め片３は、内側の側端が袋本体部２の上辺の端縁２ａでは互いに一致し、それより上側で互いに交差するように形成されている。また、各留め片３の外側の側端はそれぞれ袋本体部２の左右辺と一致しており、袋本体部２の左右辺には上辺から中程より先まで至るスリット２ｂが設けられている。さらに、袋本体部２の表面と裏面には左右辺のスリット２ｂを結ぶ横方向の折線αが設けられている。また、袋本体部２の下辺の中央にスリット２ｃが設けられている。
【００１０】
図１に示すＣＤホルダーは図２にその展開図を示すシート状物を偏平袋状に製袋することにより作製される。図２に示すシート状物Ｓは、紙、不織布付き台紙、発泡シート等の素材を型抜きしたもので、中央の折線ａを介して連接した表板１１及び裏板１２と、裏板１２の左右辺に折線ｂを介して連接された糊代片１３とで構成されている。なお、表と裏は便宜上のもので特別の意味はない。表板１１及び裏板１２における折線ａとは反対側の辺には留め片３が対照的な位置関係で延設されており、表板１１と裏板１２には横方向に横断する折線αがそれぞれ設けられている。また、糊代片１３は中央の折線ａからこの折線αの所まで設けられており、糊代片１３の折線ｂの一部は切線βになっている。さらに、中央の折線ａの中央に切線γが形成されている。
【００１１】
シート状物Ｓを組み立ててＣＤホルダー１を作製するには、まず糊代片１３を折り返してその面に接着剤を塗布する。次に、裏板１２を表板１１との境界部分の折線ａで折り返して糊代片１３に圧着する。このようにしてＣＤホルダー１を組み立てると、糊代片１３の切線βが袋本体部２の左右辺のスリット２ｂの一部を構成することになり、また切線γにより袋本体部２の下辺のスリット２ｃが形成される。
【００１２】
上記のようにして作製したＣＤホルダー１にＣＤを挿入するには、図３に示すように、表板１１と裏板１２をそれぞれ折線αのところで折り曲げて袋本体部２の上辺を大きく開き、中にＣＤを挿入する。次いで、表板１１と裏板１２を平らな状態に戻した後、袋本体部２の上辺に設けた留め片３，３を互いに交差する方向に曲げて端部を交差させることにより、互いに係止させる。このようにしてＣＤホルダー１にＣＤを収納すると、ＣＤはその左右端が袋本体部２の左右辺にあるスリット２ｂに嵌まるとともに、下辺の中央にあるスリット２ｃにＣＤの下端が嵌まって確りと固定される。そして、このようにＣＤを収納したＣＤホルダー１を、宛名を印字したフィルム袋に入れて郵送する。
【００１３】
【発明の効果】
以上説明したように、本発明のＣＤホルダーは、全体形状が矩形状でしかも短辺の長さがＣＤの直径と同じサイズである１２ｃｍになるので、定形郵便物の料金で送ることができ、郵送費用を安価に抑えることができる。また、留め片により袋本体部をワンタッチで開閉するようにし、しかも袋本体部を大きく開けることができるようにしたので、ＣＤの出し入れを簡単に行うことができる。また、ＣＤの端部がスリットに嵌まるようにして確りと保持した状態で収納するので、搬送中や取扱い中にずれてデータ面を傷付けるようなこともない。
【図面の簡単な説明】
【図１】本発明に係るＣＤホルダーの一例を示す斜視図である。
【図２】図１のＣＤホルダーを組み立てるシート状物を示す平面図である。
【図３】図１に示すＣＤホルダーにＣＤを収納する様子を示す斜視図である。
【符号の説明】
１  ＣＤホルダー
２  袋本体部
２ａ  端縁
２ｂ，２ｃ  スリット
３  留め片
Ｓ  シート状物
１１  表板
１２  裏板
１３  糊代片
α  折線
β，γ  切線
【図１】
0003717245.tif 000002
【図２】
0003717245.tif 000003
【図３】
0003717245.tif 000004